(57)【要約】【課題】  加湿器が破損等しても、酸素濃縮器を使用可能とする治具、及び酸素濃縮器を提供すること。【解決手段】  治具９１は、円筒部材を略コの字型に屈曲させたものであり、その両端に開口部９３を有し、それら両端の開口部９３は、内部の中空部９３により連通している。治具９１は、以下のように使用する。まず、加湿器４１の入口部７５を、接続口８７から引き抜くとともに、出口部７７を、接続口８９から引き抜いて、加湿器４１を酸素濃縮器１から取り外す。次に、治具９１の開口部９３のうちの一方を接続口８７に挿入するとともに、他方の開口部９３を、接続口８９に挿入する。こうすることにより、酸素濃縮器１の供給路２７において、治具９１を通る区間が形成される。【選択図】  図７
2007068572.tif 000002
【特許請求の範囲】
【請求項１】
空気中から酸素を濃縮して酸素濃縮気体を製造する酸素濃縮器本体と、
前記酸素濃縮気体の供給路と、
前記供給路に装着し、前記前記酸素濃縮気体を水に通すことで加湿を行う加湿器と、を備えた酸素濃縮器に使用する治具であって、
前記加湿器に代替して、前記供給路の一部を構成することができる治具。
【請求項２】
前記供給路は、前記加湿器の入り口と接続する上流側端部と、前記加湿器の出口と接続する下流側端部とを備え、
前記治具は、前記上流側端部と接続する上流側接続端と、前記下流側端部と接続する下流側接続端と、前記上流側接続端及び前記下流側接続端を連通する中空部と、を有することを特徴とする請求項１記載の治具。
【請求項３】
空気中から酸素を濃縮して酸素濃縮気体を製造する酸素濃縮器本体と、
前記酸素濃縮気体の供給路と、
前記供給路に装着し、前記前記酸素濃縮気体を水に通すことで加湿を行う加湿器とを備える酸素濃縮器であって、
前記供給路に、前記加湿器を通る加湿器区間と、前記加湿器を通らないバイパス区間とが並列に設けられるとともに、
前記酸素濃縮気体の流路を、前記加湿器区間と、前記バイパス区間とのうちのいずれかに設定する設定手段を備えることを特徴とする酸素濃縮器。
【請求項４】
前記設定手段は、手動式バルブであることを特徴とする請求項３記載の酸素濃縮器。
【請求項５】
前記加湿器に代替して、前記加湿器区間の一部を構成することができる治具を備えたことを特徴とする請求項３又は４に記載の酸素濃縮器。
【請求項６】
前記供給路の加湿器区間は、前記加湿器の入り口と接続する上流側端部と、前記加湿器の出口と接続する下流側端部とを備え、
前記治具は、前記上流側端部と接続する上流側接続端と、前記下流側端部と接続する下流側接続端と、前記上流側接続端及び前記下流側接続端を連通する中空部と、を有することを特徴とする請求項５に記載の酸素濃縮器。
【請求項７】
前記設定手段は、
前記加湿器区間及び前記バイパス区間が、前記加湿器よりも上流で分岐する位置に設けられた上流側手動式バルブと、
前記加湿器区間及び前記バイパス区間が、前記加湿器よりも下流で合流する位置に設けられた下流側手動式バルブと、
前記上流側手動式バルブ及び前記下流側手動式バルブを連動して操作できる操作手段と、から構成されることを特徴とする請求項３〜６のいずれかに記載の酸素濃縮器。
【請求項８】
前記設定手段は、前記下流側手動式バルブを、前記バイパス区間に設けられた逆止弁に代替するとともに、
前記操作手段は、前記上流側手動式バルブを操作するものであることを特徴とする請求項７に記載の酸素濃縮器。
【請求項９】
（ａ）空気中から酸素を濃縮して酸素濃縮気体を製造する酸素濃縮器本体、（ｂ）前記酸素濃縮気体の供給路、及び（ｃ）前記供給路に装着し、前記前記酸素濃縮気体を水に通すことで加湿を行う加湿器を備えた酸素濃縮器と、
請求項１又は２に記載の治具と、
から成る酸素濃縮器セット。
【発明の詳細な説明】
【技術分野】
【０００１】
本発明は、例えば空気中から窒素を吸着して除去することにより、高濃度の酸素を製造するとともに、その酸素を加湿して患者等に供給する酸素濃縮器、及びその酸素濃縮器に使用する治具に関するものである。
【背景技術】
【０００２】
従来より、高濃度の酸素を患者に供給することができる装置として、医療用酸素濃縮器が在宅酸素療法などに使用されている。この種の酸素濃縮器としては、例えばコンプレッサによって圧力を高めた空気を、窒素吸着剤が充填された吸着筒に送り、この吸着筒にて空気中から窒素を吸着除去して酸素濃縮気体（高濃度の酸素を含む気体）を製造するものが知られている（特許文献１、特許文献２参照）。
【０００３】
この酸素濃縮器を利用する場合、通常、患者は鼻カニューラを用いて酸素を吸入しているが、酸素濃縮器から発生される酸素は乾燥しているので（ドライであるので）、患者の症状により酸素の所要量が多くなるにつれて、鼻が乾燥して不快に感じることがある。
【０００４】
この対策として、一般的に、酸素濃縮器に加湿器を取り付けて、酸素を加湿器により加湿して患者に供給する方法が採用されている。つまり、加湿器の中に精製水を入れ、その加湿器を酸素濃縮器本体に着脱可能に取り付け、加湿器内の精製水中に酸素を通すことにより加湿を行っていた。
【特許文献１】特開２００３−２７５３１２号公報
【特許文献２】特開２００３−２７５３１３号公報
【発明の開示】
【発明が解決しようとする課題】
【０００５】
しかしながら、加湿器を酸素濃縮器から取り外した際に床に落とす等して破損させた場合や、加湿器を取り外して掃除する場合は、酸素濃縮器自体は正常であるのに、破損した加湿器を修理するか、加湿器の代替品を入手するまで、あるいは加湿器の掃除が終了するまで酸素濃縮器を使用できなくなってしまっていた。
【０００６】
本発明は、前記課題を解決するためになされたものであり、その目的は、加湿器が破損等しても、酸素濃縮器を使用可能とする治具、及び酸素濃縮器を提供することである。
【課題を解決するための手段】
【０００７】
（１）請求項１の発明は、
空気中から酸素を濃縮して酸素濃縮気体を製造する酸素濃縮器本体と、前記酸素濃縮気体の供給路と、前記供給路に装着し、前記前記酸素濃縮気体を水に通すことで加湿を行う加湿器と、を備えた酸素濃縮器に使用する治具であって、前記加湿器に代替して、前記供給路の一部を構成することができる治具を要旨とする。
【０００８】
本発明の治具を使用することにより、酸素濃縮器において、加湿器を通らない酸素濃縮気体の供給路を形成することができる。そのため、例えば、加湿器が破損した場合や加湿器を取り外して掃除している間でも、加湿器に代替して本発明の治具を使用すれば、酸素濃縮器を継続して使用することができる。
（２）請求項２の発明は、
前記供給路は、前記加湿器の入り口と接続する上流側端部と、前記加湿器の出口と接続する下流側端部とを備え、前記治具は、前記上流側端部と接続する上流側接続端と、前記下流側端部と接続する下流側接続端と、前記上流側接続端及び前記下流側接続端を連通する中空部と、を有することを特徴とする請求項１記載の治具を要旨とする。
【０００９】
本発明は、治具の構成を例示する。上記のような構成とすることにより、治具の製造が容易であり、また、確実にその作用効果を奏することができる。
（３）請求項３の発明は、
空気中から酸素を濃縮して酸素濃縮気体を製造する酸素濃縮器本体と、前記酸素濃縮気体の供給路と、前記供給路に装着し、前記前記酸素濃縮気体を水に通すことで加湿を行う加湿器とを備える酸素濃縮器であって、前記供給路に、前記加湿器を通る加湿器区間と、前記加湿器を通らないバイパス区間とが並列に設けられるとともに、前記酸素濃縮気体の流路を、前記加湿器区間と、前記バイパス区間とのうちのいずれかに設定する設定手段を備えることを特徴とする酸素濃縮器を要旨とする。
【００１０】
本発明の酸素濃縮器は、通常時（加湿器が破損していないとき）は、酸素濃縮気体の流路を、加湿器を備えた加湿器区間を通るものとする。こうすることにより、酸素濃縮気体を加湿することができる。
【００１１】
一方、加湿器が破損したときや加湿器を取り外して掃除中の場合は、酸素濃縮気体の流路を、加湿器を通らないバイパス区間を通るものとする。こうすることにより、加湿器が破損した場合や加湿器を取り外して掃除している間でも、酸素濃縮器を継続して使用することができる。
（４）請求項４の発明は、
前記設定手段は、手動式バルブであることを特徴とする請求項３記載の酸素濃縮器を要旨とする。
【００１２】
本発明は、酸素濃縮器の構成を例示する。上記のような構成とすることにより、確実に本発明の作用効果を奏することができる。
（５）請求項５の発明は、
前記加湿器に代替して、前記加湿器区間の一部を構成することができる治具を備えたことを特徴とする請求項３又は４に記載の酸素濃縮器を要旨とする。
【００１３】
本発明の酸素濃縮器は、酸素濃縮気体の流路を、加湿器を通らないバイパス区間を通るものとすることができるうえに、治具を使用することにより、酸素濃縮器において、加湿器を通らない酸素濃縮気体の供給路を形成することができる。
【００１４】
そのため、例えば、加湿器が破損した場合や加湿器を取り外して掃除している場合、通常は、バイパス区間を使用して酸素濃縮器を使用できるし、さらにバイパス区間を使用できない事情があるときでも、加湿器に代替して本発明の治具を使用すれば、酸素濃縮器を継続して使用することができる。
（６）請求項６の発明は、
前記供給路の加湿器区間は、前記加湿器の入り口と接続する上流側端部と、前記加湿器の出口と接続する下流側端部とを備え、前記治具は、前記上流側端部と接続する上流側接続端と、前記下流側端部と接続する下流側接続端と、前記上流側接続端及び前記下流側接続端を連通する中空部と、を有することを特徴とする請求項５に記載の酸素濃縮器を要旨とする。
【００１５】
本発明は、酸素濃縮器が備える治具の構成を例示する。上記のような構成とすることにより、治具の製造が容易であり、また、確実にその作用効果を奏することができる。
（７）請求項７の発明は、
前記設定手段は、前記加湿器区間及び前記バイパス区間が、前記加湿器よりも上流で分岐する位置に設けられた上流側手動式バルブと、前記加湿器区間及び前記バイパス区間が、前記加湿器よりも下流で合流する位置に設けられた下流側手動式バルブと、
前記上流側手動式バルブ及び前記下流側手動式バルブを連動して操作できる操作手段と、から構成されることを特徴とする請求項３〜６のいずれかに記載の酸素濃縮器を要旨とする。
【００１６】
本発明によれば、酸素濃縮気体の流路の切り換えを、確実かつ容易に行うことができる。
（８）請求項８の発明は、
前記設定手段は、前記下流側手動式バルブを、前記バイパス区間に設けられた逆止弁に代替するとともに、前記操作手段は、前記上流側手動式バルブを操作するものであることを特徴とする請求項７に記載の酸素濃縮器を要旨とする。
【００１７】
本発明によれば、酸素濃縮気体の流路の切り換えを、確実かつ容易に行うことができる。
（９）請求項９の発明は、
（ａ）空気中から酸素を濃縮して酸素濃縮気体を製造する酸素濃縮器本体、（ｂ）前記酸素濃縮気体の供給路、及び（ｃ）前記供給路に装着し、前記前記酸素濃縮気体を水に通すことで加湿を行う加湿器を備えた酸素濃縮器と、請求項１又は２に記載の治具と、から成る酸素濃縮器セットを要旨とする。
【００１８】
本発明によれば、請求項１、２に記載の発明と同様の作用効果を奏することができる。
尚、前記酸素濃縮器としては、吸着筒に充填した窒素吸着剤により、空気中から窒素を吸着除去して酸素を濃縮する装置や、酸素選択透過膜を利用した装置が挙げられる。
【発明を実施するための最良の形態】
【００１９】
以下、本発明の酸素濃縮器の実施の形態の例（実施例）を、図面を参照して説明する。
【実施例１】
【００２０】
本実施例１では、空気中から窒素吸着剤を用いて窒素を吸着して除去することにより酸素を濃縮し、この高濃度の酸素を含む酸素濃縮気体を加湿器にて加湿し、患者に対して供給する医療用酸素濃縮器（以下酸素濃縮器と記す）と、その酸素濃縮器に使用する治具を例に挙げる。
【００２１】
ａ）まず、本実施例１の酸素濃縮器１の機能を実現するための各構成を図１を用いて説明する。尚、図１は酸素濃縮器１全体を表すブロック図である。
図１に示す様に、酸素濃縮器１は、その空気の導入路３に、上流側より、空気取入口５、防塵フィルタ７、吸気フィルタ９、吸気マフラ１０、コンプレッサ１１、熱交換器１３、一対の供給切替弁１４ａ、１４ｂ、一対の排気切替弁１５ａ、１５ｂ、及び窒素吸着剤を充填した一対の吸着筒１７ａ、１７ｂが設けられている。尚、コンプレッサ１１及び熱交換器１３の近傍には、シロッコファン１９が配置されている。
【００２２】
このうち、前記窒素吸着剤は、加圧すると空気中の窒素を優先的に吸着し、また圧力を下げると吸着した窒素を放出して、窒素吸着剤の再生を行うゼオライト系の窒素吸着剤である。また、一対の吸着筒１７ａ、１７ｂから窒素を排気する排気路２１には、断続的な排気音を消すサイレンサ２３が設けられている。
【００２３】
更に、一対の吸着筒１７ａ、１７ｂから、酸素濃縮気体を供給する供給路２７の構成として、その上流側から、吸着筒１７ａ、１７ｂ間の圧力を調節する二方弁である均圧弁２９、酸素濃縮気体の逆流を防止する一対の逆止弁３０、酸素濃縮気体を溜める製品タンク３１、酸素濃縮気体の圧力を調節する圧力調整器３３、酸素濃縮気体の酸素濃度を検出する酸素センサ３４、細菌等の通過を防止するバクテリアフィルタ３５、酸素濃縮気体の流量を設定するロータリスイッチである流量設定器３７、酸素濃縮気体の圧力を検出する圧力センサ３９、酸素濃縮気体を加湿する加湿器４１、電磁弁４０、及び酸素出口４５が設けられている。
【００２４】
また、本実施例の酸素濃縮器１には、騒音を防止する構成として、図中の点線で示すように、スチールボックス（金属ケース）５３を備えるとともに、図中の実線で示す様に、それらを覆う外装ケース５５を備えている。このうち、金属ケース５３は、金属板の内側を、振動吸収ゴム及び吸音材で内貼りしたものであり、吸気フィルタ９、吸気マフラ１０、コンプレッサ１１、熱交換器１３、一対の供給切替弁１４ａ、１４ｂ、一対の排気切替弁１５ａ、１５ｂ、シロッコファン１９、サイレンサ２３等の周囲を覆っている。
【００２５】
更に、図２の斜視図に示す様に、本実施例１の酸素濃縮器１は、その前面部６１にフロントカバー６３が配置されており、前面部６１には、空気取入口５、加湿器４１、操作パネル６５等が配置されている。この操作パネル６５には、流量設定器３７を操作する流量設定つまみ６７、設定流量を数字等の文字表示で表示する設定流量表示器６４、電源スイッチ６９、酸素濃縮気体の供給状態を示す流れ表示ランプ６８、酸素出口４５が設けられるとともに、加湿器４１からの酸素濃縮気体の漏れを報知する異常報知ランプ７０が設けられている。
【００２６】
上述した構成を備えた本実施例の酸素濃縮器１では、吸着筒１７ａ、１７ｂのうちの一方にコンプレッサ１１で圧縮空気を送りこみ、約１９８ｋＰａの加圧に達したら、一対の供給切替弁１４ａ、１４ｂ及び一対の排気切替弁１５ａ、１５ｂにより、吸着筒１７ａ、１７ｂのうちの他方に切り換え、吸着した窒素が減圧とともに排出されるように電気的に制御する。
【００２７】
また、前記吸着筒１７ａ、１７ｂにより、加圧時には酸素だけを抽出でき、その下流の製品タンク３１、圧力調整器３３、バクテリアフィルタ３５、流量設定器３７、加湿器４１、電磁弁４０を通り、酸素濃縮気体が酸素出口４５まで供給される。これを、交互に繰り返すことにより、９０％以上の濃縮酸素を連続的に得ることができる。
更に、製品タンク３１に溜めることにより変動を低減して連続性を確保している。
【００２８】
尚、本実施例の酸素濃縮器１は、連続ベース流量が毎分５Ｌの装置であり、重量３３ｋｇ、消費電力２２０Ｗ、運転音は３０ｄＢ以下（無響音室において）である。
ｂ）次に、前記加湿器４１に関する構成について、更に詳しく説明する。
【００２９】
図３に示す様に、酸素濃縮気体を加湿する加湿器４１は、水を収容するプラスチック製の透明の容器７１に、プラスチック製のキャップ７３がかぶせられたものであり、この容器７１とキャップ７３との間には、ゴム製のパッキン７４が配置されている。
【００３０】
前記キャップ７３には、流量設定器３７からドライ酸素が供給される筒状の入口部７５と、加湿器４１から酸素出口４５に酸素を供給するための筒状の出口部７７が設けられている。また、前記入口部７５には、その下方よりプラスチック製の円筒状のパイプ７９が嵌め込まれており、そのパイプ７９の先端側は、容器７１に入れられた水の中に入れられている。更に、前記パイプ７９の先端の開口部８１には、バブルフィルタ８３が装着されている。
【００３１】
図４及び図５に示す様に、加湿器３９は、酸素濃縮器本体２の前面部６１に設けられた凹状の加湿器装着部８５に取り付けられる。つまり、加湿器４１を、図４の紙面の表側から裏側に向かって（即ち図５の右側から左側に向けて）押し込んで、加湿器４１の入口部７５を、流量設定器３７につながる接続口８７に嵌め込むとともに、出口部７７を、電磁弁４０につながる接続口８９に嵌め込む。これにより、流量設定器３７から加湿器４１を介して電磁弁４０に到る供給路が形成される。
【００３２】
また、本実施例１の酸素濃縮器１は、圧力センサ３９の信号を受信するとともに、各部の弁（電磁弁４０、供給切替弁１４ａ、１４ｂ、一対の排気切替弁１５ａ、１５ｂ等）の切り換えを行う制御部（図示略）を備えている。
【００３３】
ｃ）次に、治具９１について、図６、図７を用いて説明する。
治具９１は、図６に示すように、円筒部材を略コの字型に屈曲させたものである。治具９１は、その両端に開口部９３を有しており、それら両端の開口部９３は、内部の中空部９５により連通している。
【００３４】
治具９１は、酸素濃縮器１に対し、以下のように使用する。まず、加湿器４１の入口部７５を、接続口８７から引き抜くとともに、出口部７７を、接続口８９から引き抜いて、加湿器４１を酸素濃縮器１から取り外す（図４、図５参照）。次に、図７に示すように、治具９１の開口部９３のうちの一方を接続口８７に挿入するとともに、他方の開口部９３を、接続口８９に挿入する。こうすることにより、酸素濃縮器１の供給路２７（図１参照）において、流量設定器３７から治具９１を介して電磁弁４０に到る経路が形成される。
【００３５】
尚、治具９１は、チェーンや蝶番により、酸素濃縮器１のフロントカバー６３（図２参照）に取り付けることができる。また、酸素濃縮器１の筐体に引き出し式等の小物入れを設け、使用しないときは、治具９１をその中に収容することができる。こうすることにより、治具９１を紛失してしまうようなことがない。
【００３６】
また、治具９１に、凹部カバー部材を取り付けることができる。この凹部カバー部材とは、治具９１を酸素濃縮器１に取り付けたとき、凹状の加湿器装着部８５（図４、図５参照）の開口部を覆い、酸素濃縮器１の前面部６１を平坦ならしめるものである。
【００３７】
ｄ）次に、治具９１が奏する作用効果を説明する。
治具９１を使用することにより、酸素濃縮器１において、加湿器４１を通らない酸素濃縮気体の供給路を形成することができる。そのため、例えば、加湿器４１が破損した場合や、掃除等のために加湿器４１を取り外した場合でも、加湿器４１に代替して治具９１を取り付ければ、酸素濃縮器１を継続して使用することができる。
【実施例２】
【００３８】
ａ）本実施例２の酸素濃縮器１の構成は、基本的には前記実施例１と同様であるが、一部において相違する。以下では、その相違点を中心に図８を用いて説明する。
酸素濃縮気体を供給する供給路２７のうち、製品タンク３１よりも下流の部分には、圧力調整器３３、酸素濃縮気体の圧力を検出する圧力センサ３９、手動式の三方バルブ４２、加湿器４１、手動式の三方バルブ４３、及び酸素出口４５が設けられている。
【００３９】
そして、供給路２７には、３方弁４２から加湿器４１経て３方弁４２に至る区間（加湿器区間）と並列に、バイパス区間２８が設けられている。そのバイパス区間２８は、加湿器４１の上流において、３方弁（上流側手動式バルブ）４２に接続し、加湿器４１の下流において、３方弁（下流側手動式バルブ）４３と接続している。３方弁４２、４３は、上流から流れてきた酸素濃縮気体の流路を、加湿器４１を通る流路と、バイパス区間２８を通る流路のうちのどちらかに設定することができる。
【００４０】
３方弁４２、４３には、図示しない設定レバー（操作手段）が連結されている。使用者は、その設定レバーの一つのレバー操作で、３方弁４２、４３を、酸素濃縮気体が加湿器４１を通る状態と、酸素濃縮気体がバイパス区間２８を通る状態のいずれかに、切り換えることができる。
【００４１】
尚、本実施例２の酸素濃縮器１の構成は、図８において３方弁４３を取り外し、バイパス区間２８を加湿器区間に合流させるとともに、バイパス区間２８のうち、加湿器区間に合流する直前の部分に、逆止弁（図８において上から下への流れは許容するが、その逆方向の流れは許さないもの）を取り付けたものであってもよい。この場合、３方弁４２のみを、図示しない設定レバーで操作することにより、酸素濃縮気体が加湿器４１を通る状態と、酸素濃縮気体がバイパス区間２８を通る状態のいずれかに、切り換えることができる。
【００４２】
尚、本実施例２においても、前記実施例１と同様に、加湿器４１を酸素濃縮器１から取り外し、加湿器４１に代替して治具９１（図６、図７参照）を取り付けることができる。こうすることにより、酸素濃縮器１の供給路２７において、三方弁４２から３方弁４３に至る経路が、バイパス区間２８と並列して形成される。
【００４３】
ｂ）本実施例２の酸素濃縮器１は、以下のように使用することができる。通常時（加湿器４１が破損していないとき）は、酸素濃縮気体が加湿器４１を通るように、３方弁４２、４３をユーザが設定する。こうすることにより、酸素濃縮気体を加湿することができる。
【００４４】
一方、加湿器４１が破損したとき、または加湿器４１を掃除等のために取り外したときは、酸素濃縮気体がバイパス区間２８を通るように、工場出荷時に設定されているか、あるいは、３方弁４２、４３をユーザが設定する。こうすることにより、加湿器４１が使用できない場合でも、酸素濃縮器１を継続して使用することができる。
【００４５】
また、湿器４１が破損したとき、または加湿器４１を掃除等のために取り外したときに、加湿器４１に代替して治具９１を取り付けてもよい。こうすることによっても、加湿器４１が使用できない場合でも、酸素濃縮器１を継続して使用することができる。
【００４６】
尚、本発明は前記実施例になんら限定されるものではなく、本発明の要旨を逸脱しない範囲において種々の態様で実施しうることはいうまでもない。
例えば前記各実施例では、酸素濃縮器に備えられた加湿器について述べたが、これ以外にも、例えば酸素ボンベに加湿器を接続した場合などにも適用できる。
【図面の簡単な説明】
【００４７】
【図１】実施例１の酸素濃縮器１の基本構成を表す説明図である。
【図２】実施例１の酸素濃縮器１の斜視図である。
【図３】実施例１の酸素濃縮器１の加湿器４１を表す説明図である。
【図４】実施例１の酸素濃縮器１の加湿部４１の装着部分等を正面から見た説明図である。
【図５】酸素濃縮器１の加湿部４１の装着部分等を破断して示す断面図である。
【図６】実施例１の治具９１を表す説明図である。
【図７】実施例１の治具９１の使用方法を表す説明図である。
【図８】実施例２の酸素濃縮器１の基本構成を表す説明図である。
【符号の説明】
【００４８】
１・・・酸素濃縮器
１４ａ、１４ｂ・・・供給切替弁
１５ａ、１５ｂ・・・排気切替弁
１７ａ、１７ｂ・・・吸着筒
２７・・・供給路
２８・・・バイパス区間
３１・・・製品タンク
３７・・・流量設定器
３９・・・圧力センサ
４１・・・加湿器
４２、４３・・・３方弁
４５・・・酸素出口
９１・・・治具
９３・・・開口部
９５・・・中空部
【図１】
2007068572.tif 000003
【図２】
2007068572.tif 000004
【図３】
2007068572.tif 000005
【図４】
2007068572.tif 000006
【図５】
2007068572.tif 000007
【図６】
2007068572.tif 000008
【図７】
2007068572.tif 000009
【図８】
2007068572.tif 000010